(57)【要約】      （修正有）【課題】大量の記録データを高速にかつ簡単に検索、分類、削除などを行なうようにし、小型機器での操作性を向上させる。【解決手段】動画映像信号記録再生手段と、静止画信号記録再生手段と、映像に同期化して記録されるディジタル音声信号記録再生手段と、前記動画映像信号と前記静止画映像信号を表示可能なディスプレイ表示手段と、前記動画映像と前記静止画映像を区別する記録データのデータ情報と映像または音声を記録する記録時間情報を含む記録条件を記録する記録条件記録手段と、を有するディジタル映像音声記録再生装置であって、前記映像信号の表示用ディスプレイ表示手段の表示画面上に、記録データの少なくとも前記データ情報と記録時間情報から成る記録条件をグラフィック表示または文字表示で表示し、前記表示された記録データを前記表示画面上で選択する。【選択図】図７
2010154534.tif 000002
【特許請求の範囲】
【請求項１】
ディジタル信号化された動画映像信号記録再生手段と、動画映像に同期化して記録されるディジタル音声信号記録再生手段と、ディジタル信号化された静止画映像信号記録再生手段と、前記動画映像信号と前記静止画映像信号を表示可能なディスプレイ表示手段と、前記動画映像と前記静止画映像を区別する記録データのデータ情報と映像または音声を記録する記録時間情報とを含む記録条件を記録する記録条件記録手段と、を有するディジタル映像音声記録再生装置であって、
前記映像信号の表示用ディスプレイ表示手段の表示画面上に、記録データの少なくとも前記データ情報と記録時間情報から成る記録条件をグラフィック表示または文字表示で表示し、
前記表示された記録データを前記表示画面上で選択することを特徴とするディジタル映像音声記録再生装置。
【請求項２】
ディジタル信号化された動画映像信号記録再生手段と、動画映像に同期化して記録されるディジタル音声信号記録再生手段と、ディジタル信号化された静止画映像信号記録再生手段と、静止画映像に同期化して記録されるディジタル音声信号記録再生手段と、前記動画映像信号と前記静止画映像信号を表示可能なディスプレイ表示手段と、前記動画映像と前記静止画映像と静止画映像に同期化して記録されたディジタル音声信号を区別する記録データのデータ情報と映像または音声を記録する記録時間情報とを含む記録条件を記録する記録条件記録手段と、を有するディジタル映像音声記録再生装置であって、
前記映像信号の表示用ディスプレイ表示手段の表示画面上に、記録データの少なくとも前記データ情報と記録時間情報から成る記録条件をグラフィック表示または文字表示で表示し、
前記表示された記録データを前記表示画面上で選択することを特徴とするディジタル映像音声記録再生装置。
【請求項３】
請求項１または２に記載のディジタル映像音声記録再生装置において、
前記表示画面上に表示される前記記録データの記録条件に、記録データの縮小画面情報を含ませることを特徴とするディジタル映像音声記録再生装置。
【請求項４】
請求項１または２に記載のディジタル映像音声記録再生装置において、
動画映像撮像手段と静止画映像撮像手段と音声マイクと、動画映像ディジタル変換処理手段と静止画映像ディジタル変換処理手段と音声ディジタル変換手段と、前記動画映像、静止画映像及び音声ディジタル信号を記録する記録手段と、を設けることを特徴とするディジタル映像音声記録再生装置。
【請求項５】
請求項１または２に記載のディジタル映像音声記録再生装置において、
前記記録条件を表示する表示手段は、横３６．６ｍｍ、縦２７ｍｍ、対角４５．７ｍｍの液晶表示パネルであることを特徴とするディジタル映像音声記録再生装置。
【請求項６】
請求項１または２に記載のディジタル映像音声記録再生装置において、
前記記録条件の表示画面上に、前記記録時間情報として、記録開始日時および記録開始時刻を表示することを特徴とするディジタル映像音声再生装置。
【請求項７】
請求項１または２に記載のディジタル映像音声記録再生装置において、
前記映像信号の表示用ディスプレイ表示手段の表示画面上に、少なくとも２つ以上の検索用分類別に記録データの数量を表示するとともに、前記分類毎にデータの保存領域を設けて該当する記録データを保存領域に保存することを特徴とするディジタル映像音声記録再生装置。
【請求項８】
請求項７に記載のディジタル映像音声記録再生装置において、
前記検索用分類の表示画面上で前記分類の１つを選択操作することにより、グラフィック表示または文字表示で表示される記録条件の表示画面に変換することを特徴とするディジタル映像音声記録再生装置。
【請求項９】
請求項７に記載のディジタル映像音声記録再生装置において、
記録データの再生時に、分類先を指定しない場合、表示画面上の最上段の所定の分類先に含まれて記録データが表示されることを特徴とするディジタル映像音声記録再生装置。
【請求項１０】
請求項１または２に記載のディジタル映像音声記録再生装置において、
前記表示画面上に表示される前記記録データの記録条件に、ユーザが任意に指定可能な消去防止機能の情報を含ませることを特徴とするディジタル映像音声記録再生装置。
【請求項１１】
請求項１または２に記載のディジタル映像音声記録再生装置において、
前記記録データの数量を検索用分類別に表示する表示画面から、前記データ情報と記録時間情報から成る記録条件を表示する表示画面に画面変換するボタンと、前記記録条件を表示する表示画面での記録データの一覧リストの中から個別の記録データを選定するボタンと、前記ディジタル映像音声記録再生装置の映像を再生し、停止し、早送りし、早戻しする動作機能を指示するボタンと、前記動作機能の状態から前記記録条件の表示画面に復帰するボタンと、を同一のボタンで構成することを特徴とするディジタル映像音声記録再生装置。
【請求項１２】
請求項１または２に記載のディジタル映像音声記録再生装置において、
前記記録データの記録条件をグラフィック表示または文字表示する表示画面上で、記録時刻の新しい順に表示画面の上部に表示し、記録時刻の古いデータは下部に表示することを特徴とするディジタル映像音声記録再生装置。
【請求項１３】
請求項３に記載のディジタル映像音声記録再生装置において、
前記記録データの縮小画面は、前記記録条件のグラフィック表示または文字表示の同一行に、記録時に得られた画素数の縦、横それぞれ１／５の画素数に間引きした縮小映像を表示することを特徴とするディジタル映像音声記録再生装置。
【請求項１４】
請求項７に記載のディジタル映像音声記録再生装置において、
前記保存領域の１つは、記録データの再現が可能なデータ一時廃棄領域であり、ユーザが指定することによって、前記廃棄領域内のデータを一括して全て削除可能とすることを特徴とするディジタル映像音声記録再生装置。
【請求項１５】
請求項１２に記載のディジタル映像音声記録再生装置において、
前記記録データの記録条件の表示順番は、ユーザが指定することによって変更可能であり、特定の記録条件を任意の行に移動して表示することを特徴とするディジタル映像音声記録再生装置。
【請求項１６】
請求項１または２に記載のディジタル映像音声記録再生装置において、
前記記録データの記録条件をグラフィック表示または文字表示する表示画面上で、
前記記録データのデータ一時廃棄領域への移動機能、前記データ一時廃棄領域からの全データの削除機能、記録データの検索用分類の変更機能、記録データの記録条件の表示順番の変更機能、記録データの記録日時の変更機能、記録データの削除属性の変更機能、記録データの保存容量の残容量の表示機能、を含む機能を前記表示画面上に表示し、
前記表示された機能の内のいずれか１つの機能を選定できることを特徴とするディジタル映像音声記録再生装置。
【請求項１７】
映像信号をディジタル信号に変換して、表示画面上に表示される映像を記録するディジタル映像記録装置において、
前記ディジタル信号に対して選択的に動画あるいは静止画の圧縮処理を行って圧縮データを生成する圧縮部と、
前記圧縮データを記録する記録部と、
動画を圧縮記録するか、静止画を圧縮記録するかの選択指示を行うための記録モード選択指示手段と、を備え、
前記記録モード選択指示手段による選択に関連づけられて前記表示画面上には動画、静止画の種別を表す表示がなされ、
前記動画、静止画の種別を表す表示に従った前記記録モード選択指示手段による指示に応じて前記圧縮部が選択的に動画あるいは静止画の圧縮処理を行う
ことを特徴とする画像記録装置。
【請求項１８】
動画あるいは静止画の圧縮処理を行って生成される圧縮データを保有する保有部と、
前記圧縮データに対して選択的に動画あるいは静止画の伸長処理を行ってディジタル信号を生成する伸長部とを備え、
前記伸長部で生成されたディジタル信号を映像信号に変換して、表示画面上に映像を再生するディジタル映像再生装置であって、
前記保有部に保有された圧縮データのうち、再生するデータを指定するための指定手段と、
前記指定手段によって指定された圧縮データを保有部より検索して読み出す手段と、を備え、
前記保有部に保有された圧縮データに関連づけられて前記表示画面上には動画、静止画の種別を表わすデータ情報が表示され、
前記動画、静止画の種別を表わすデータ情報に従って前記指定手段による圧縮データの指定を行うと、前記圧縮データに応じて前記伸長部が選択的に動画あるいは静止画の伸長処理を行う
ことを特徴とするディジタル映像再生装置。
【発明の詳細な説明】
【技術分野】
【０００１】
本発明は携帯用ディジタルビデオカメラの操作性に関する技術である。
【背景技術】
【０００２】
従来の技術としては、特開平２−２９２９７４号公報に示されるように、半導体メモリに映像信号として、静止画信号を記録する電子写真システム、いわゆる電子スチルカメラがある。近年、パーソナルコンピューターの普及により、半導体メモリやハードディスク等の記録媒体の低価格化や小型化、大容量化が進む一方で、ＪＰＥＧ、ＭＰＥＧに代表される信号圧縮技術の進歩により、小型機器でも、より多くの静止画や動画の記録までも可能となってきており、カードサイズで３００ＭＢｙｔｅ程度の容量を持ったハードディスクが実現されている。
【０００３】
この場合、静止画においてはＪＰＥＧ圧縮を用いた静止画で約３０００枚程度、ＭＰＥＧ圧縮を用いた動画で約２０分程度の記録が可能となる。したがって、このような、大量の記録データの検索や分類、削除等を小型機器で行うために操作性を向上する必要性があった。しかしながら、上記特開平２−２９２９７４号公報においては、大量の記録データを高速にかつ簡単に検索する手段が記載されておらず、再生画面をすべて確認しながら検索する方法しかなかった。
【先行技術文献】
【特許文献】
【０００４】
【特許文献１】特開平２−２９２９７４号公報
【発明の概要】
【発明が解決しようとする課題】
【０００５】
上記のハードディスクなどにより実現可能なメディアを用いて、３０００枚のＪＰＥＧ静止画を記録し、再生画面を展開しながら検索した場合、一般に１枚展開するのに１秒程度の時間を必要とするので、３０００枚展開するには、約１時間かかることになり、実用性にかける。そこで、大量のデータを検索するにはシステムの高速処理を可能にする必要性があった。
【０００６】
本発明の課題は、上記課題を解決し、小型機器での操作性向上を実現する手段を提供することにある。
【課題を解決するための手段】
【０００７】
上記課題を解決するため、本発明は、静止画や動画撮影時に、撮影時間情報と動画や静止画等を区別する撮影モード情報とを同時に記録する記録手段と、再生時に、これらの情報を本体内蔵の液晶画面にリスト表示すると同時に、縮小画も表示する表示手段と、記録データの検索や分類、削除等を行うためのキー入力手段と、を設ける構成とし、小型機器での操作性を向上することを可能とした。
【発明の効果】
【０００８】
以上説明したように、本発明によれば、記録媒体の大容量化や圧縮技術の進歩により、１記録媒体に記録できるデータ数が増加しても、非常に少ないキーで操作可能なため、以下のような効果が得られ、限られたスペースしかない小型機器での操作性を向上することが可能となる。
【０００９】
まず、動画、静止画、静止画付き音声などの記録時のモード別のマークや、データ記録日時情報等が、一覧リスト表示可能なため、ユーザーはデータの内容を把握しながら、効率よく、高速に、検索等を行うことができる。また、記録時には、ユーザーが今どのモードで撮影できるのかが分かるように、モードが切り替えられるごとに、上記のマークも切り替えられて撮影画面に表示されるため、撮影画面に集中してモードごとの記録が行える。
【００１０】
また、表示リストは、日付、時刻で構成され、すべて自動的に作成されると同時に、縮小表示画面を出す事ができるため、ユーザーはデータの内容をさらに把握しやすくなる。
【００１１】
さらに、撮影したデータを所定の場所に分類可能なため、撮影した状況や目的に合わせて、モード情報や日時情報などを頼りにして整理でき、一層、検索が容易になる。
【００１２】
また、モード情報や日時情報などを頼りにして、リスト表示の表示順序および、データの再生順序を入れ替えることができるので、記録順序によらず、常に最適な再生効果を得ることができる。
【００１３】
そして、一時的に廃棄可能な分類を設けたため、誤った操作による消去を防ぐことができるだけでなく、不要なデータも、消去操作後に、その必要性が生じた場合、再利用可能となる。
【００１４】
以上より、比較的簡単なグラフィック画面上の操作により、大量のデータを記録した場合でも、全ての画面を展開しながら再生する場合に比べ、高速に検索が可能となる。
【図面の簡単な説明】
【００１５】
【図１】本発明のソフトウェアの状態遷移図である。
【図２】本発明のソフトウェアが動作する携帯用ディジタルビデオカメラの外観図である。
【図３】本発明のソフトウェアが動作する携帯用ディジタルビデオカメラの操作スイッチ部分の拡大図である。
【図４】本発明のソフトウェアが動作する携帯用ディジタルビデオカメラの回路ブロック図である。
【図５】本実施形態のソフトウェアが動作する携帯用ディジタルビデオカメラの画面表示構成図である。
【図６】記録データを分類を選択するための表示画面である。
【図７】記録データを選択するための表示画面である。
【図８】記録データを選択するための縮小画付き表示画面である。
【図９】記録データの詳細機能を選択するための表示画面である。
【図１０】詳細機能を選択する方法を示したフローチャートである。
【図１１】記録データの分類を変更するための表示画面である。
【図１２】記録データの表示順を変更するための表示画面である。
【図１３】記録データの日付を変更するための表示画面である。
【図１４】記録データの削除属性を変更するための表示画面である。
【図１５】記録メディアの残量状態を表示する表示画面である。
【図１６】記録データをＨＤＤより読みだし、記録データを再生する方法を示したフローチャートである。
【図１７】記録時に静止画記録モードが選択されている場合の撮影画面である。
【図１８】記録時に動画記録モードが選択されている場合の撮影画面である。
【図１９】モード別のマーク図である。
【発明を実施するための形態】
【００１６】
以下本発明の実施形態を図１から図１９を用いて説明する。
【００１７】
図１は、本発明を適用した一実施形態のソフトウェアの流れを示したものである。
【００１８】
図２は図１に示す実施形態のソフトウェアが動作する携帯用ディジタルビデオカメラ２００の外観の一例である。本機２００はＮＴＳＣまたはＰＡＬテレビ方式の信号が記録再生できる。
【００１９】
図３は図２の一実施形態の操作スイッチ部分の拡大図である。図２の携帯用ディジタルビデオカメラ２００において、全体の構成としては、カメラシステムから得たディジタル動画信号をＭＰＥＧ（Ｍｏｖｉｎｇ  Ｐｉｃｔｕｒｅ  Ｅｘｐｅｒｔ  Ｇｒｏｕｐの略）１フォーマットに圧縮し、メモリーカードに記録するものである。また、再生に於いては、メモリカードに記録されているＭＰＥＧ１フォーマットの信号を展開し、内蔵表示装置２０１に表示するというものである。表示装置は、外部に接続された表示装置でも差し支えない。図２の携帯用ディジタルビデオカメラ２００は、ＭＰＥＧ動画データに加え、静止画データであるＪＰＥＧ、音声データであるＭＰＥＧの音声フォーマットを記録できる。
【００２０】
図４は携帯用ディジタルビデオカメラ２００の回路ブロックの概略を示したものである。まず、携帯用ディジタルビデオカメラ２００を使って、動画を記録する手順の一例を説明する。記録スイッチ３０１がユーザーにより押されると、レンズ４０１より得られた被写体映像はＣＣＤセンサ４０２によって電気信号に変換される。センサ４０２から読み出された信号は、低周波雑音を抑圧するＣＤＳ（Ｃｏｒｒｅｌａｔｅｄ  Ｄｏｕｂｌｅ  Ｓａｍｐｌｉｎｇ）回路、信号レベルを安定にするため自動利得制御を行うＡＧＣ回路を一体化した回路４０３で電気的処理が行われた後、ＡＤＣ４０４によってディジタル信号に変換され、カメラ信号処理回路４０５に入力される。
【００２１】
カメラ信号処理回路（カメラＤＳＰ）４０５は、センサ出力ディジタル画素信号をマトリクス回路により輝度信号Ｙ、色差信号Ｕ，Ｖに変換する機能、同期信号を付加する機能、アイリスとシャッター速度の関係を調整する機能、ホワイトバランスを調整する機能、ディジタル的にズーム拡大する機能などで構成されている。また図４中には詳記していないが、前記カメラＤＳＰ４０５はＣＣＤセンサ４０２の水平垂直駆動信号パルスを出力し、同期信号とのタイミングを取りながら、ＣＣＤセンサ４０２の信号を読み出すようにしている。またカメラ制御マイコン４０６はＤＳＰ４０５の動作におけるパラメータをカメラＤＳＰ４０５に供給し、カメラシステム全体を制御する。
【００２２】
一方、カメラＤＳＰ４０５から得られたディジタルによる輝度信号Ｙ、色差信号Ｕ，Ｖは、ディジタルバスラインにより動画ディジタル信号の標準圧縮フォーマットであるＭＰＥＧ１のエンコーダ４０９におくられ、データが圧縮され、ディジタルデータに変換される。４１０はＭＰＥＧ１エンコードを行う際のワークメモリである。さらにＭＰＥＧ１に変換されたデータは、ディジタル出力データの伝送レートを制御するマイコン４１１に送られ、ＭＰＥＧ１エンコーダ４０９とともに動画圧縮システム全体が構成される。
【００２３】
伝送レートを制御するマイコン４１１は、ＭＰＥＧ１フォーマット化されたデータをバッファメモリ４１２に一定量たくわえ、インターフェース回路４１３を介して、６８ピンで構成されるＰＣＭＣＩＡ規格のカードコネクタ４１４を経由して、ＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎの略）が定めたＰＣカード規格のメモリカード型のハードディスク（以下ＨＤＤ）４１５に転送する。
【００２４】
ここでは動画映像を記録する方法について詳しく説明した。一方ユーザーにより静止画記録モードが選択された場合は、ＭＰＥＧエンコーダ４０９がＪＰＥＧの圧縮回路に切り替られ、４０９から静止画データが発生され、マイコン４１１に送られる。ＭＰＥＧ圧縮データ処理とＪＰＥＧ圧縮データ処理は共通点が多く、回路規模が節約できるので有効な方法として知られている。
【００２５】
また、音声信号はマイク４１８より音声がアナログ電気信号に変換され、音声用ＡＤＣ４１９によりディジタルデータになり、ＭＰＥＧエンコーダ４０９によりデータバスに音声データが取り込まれ、マイコン４１１によりＭＰＥＧフォーマットに準拠した圧縮が、ソフトウェアによって実行され、前記した動画映像または静止画映像データと時系列的に加算される。
【００２６】
本実施形態では、携帯用ディジタルビデオカメラ２００は、ＭＰＥＧ１フォーマット化されたデータに加えて、ＪＰＥＧフォーマット化されたデータ、ＭＰＥＧ１フォーマット化された音声のみのデータも記録できる。
【００２７】
この際、マイコン４１１は、記録スイッチ３０１が押された日付、時刻、ＭＰＥＧ１フォーマット化されたデータ、ＪＰＥＧフォーマット化されたデータ、ＭＰＥＧ１フォーマット化された音声のみのデータの何れかを表す符号が記録される。また、記録されているデータの検索の手段として分類を表す符号、記録されたデータを削除する操作を禁止するか否かを表す符号を記録する。記録時には、一旦、分類は分類していないことを示す符号、削除する操作の可、不可を表す符号には削除可能として記録する。
【００２８】
ここで、上記の撮影モードを示す符号は、一般的なディスクオペレーションシステムにおいて、データのタイプを示すコードを用いて判別される。また、分類を表す符号やデータ削除可能かどうかを表す符号は、データに関連付けされた個別のファイルに記録される。
【００２９】
一方記録時のモニタ信号としては上記のカメラＤＳＰ４０５に入力されたディジタル信号は、この回路４０５に内蔵されたＮＴＳＣまたはＰＡＬエンコーダとＤＡＣによりアナログテレビ信号となり、出力端子４１６および内蔵表示装置２０１に出力する。この例ではＭＰＥＧ１の音声付動画データについて説明したが、ＪＰＥＧ、ＭＰＥＧ１音声のみのデータでも同様の処理が行われる。
【００３０】
システムが再生の時には上記記録モードと信号が逆に流れる。図１６はそれを示したフローチャートである。まず、データの情報を示してあるテキストデータを、ＨＤＤ４１５から読み込む。次に、ユーザーが、内蔵表示装置２０１に表示される本発明の特徴であるデータの一覧リストからデータを検索し、再生したいデータを操作スイッチ４０８を用いて指定する。そして、ファイルシステムを起動し、ＨＤＤ４１５よりデータをマイコン４１１に読み出す。
【００３１】
ここで、データのタイプの判別を行い、動画の場合はＭＰＥＧ映像のデコード、ＭＰＥＧ音声のデコード、静止画の場合はＪＰＥＧ映像のデコード、そして静止画付き音声の場合はＪＰＥＧ映像のデコード、ＭＰＥＧ音声のデコードをそれぞれ行い、再生画を表示する。
【００３２】
ここでは、操作スイッチ４０８による指示信号はサブマイコン４０７により読み取られ、カメラ制御マイコン４０６を経由して、マイコン４１１に送られる。また、本実施形態のソフトウェアプログラムは、プログラム収納用のＲＯＭ４１７（ＲｅａｄＯｎｌｙＭｅｍｏｒｙ）から読みだされて実行される。本実施形態では、プログラム収納の場所はＲＯＭ４１７としたが、ＦｌａｓｈＲＡＭ、ＨＤＤ等の記憶装置でも差し支えない。
【００３３】
次に、このデータはＰＣＭＣＩＡコネクタ４１４およびインターフェース回路４１３を介してバッファメモリ４１２にデータに転送される。バッファメモリ４１２に貯えられたデータはマイコン４１１によりタイミングが制御され、ＭＰＥＧ１デコーダ４０９に送られる。４０９の回路はＭＰＥＧ１の符号化、復号化が切換られる構成となっている。
【００３４】
ＭＰＥＧ１デコーダ４０９で復号されたデータはディジタルバスラインによりカメラＤＳＰ回路４０５に送られ、この回路４０５に内蔵されたＮＴＳＣまたはＰＡＬエンコーダとＤＡＣによりアナログビデオ信号に変換され、出力端子４１６および内蔵表示装置２０１から装置外部に出力される。この例ではＭＰＥＧ１の音声付動画データについて説明したが、ＪＰＥＧ、ＭＰＥＧ１音声のみのデータでも同様の処理が行われる。
【００３５】
本実施形態では、記憶装置であるＨＤＤ４１５に容量２６０ＭＢのＨＤＤを使用するため、特にＪＰＥＧフォーマットの静止画のみを記録した場合、およそ３０００枚の静止画データの記録が可能である。本発明においては、３０００個のデータに対しても、分類する機能を用いることにより、高速かつ容易に検索が可能となっている。
【００３６】
図４は動画映像についての回路構成を示しているが、静止画映像及び音声については図４に対応する回路構成が必要となる。即ち、本発明においては、動画映像撮像手段と静止画映像撮像手段と音声マイクと、動画映像ディジタル変換処理手段と静止画映像ディジタル変換処理手段と音声ディジタル変換手段と、前記動画映像、静止画映像及び音声ディジタル信号記録手段と、から構成されるのである。
【００３７】
図５は、本発明の実施形態として、内蔵表示装置２０１に画面の大きさがその対角の長さ１．８インチ（４５．７ｍｍ）、つまり、横３６．６ｍｍ、縦２７ｍｍであり、画面の画素構成が３５２画素ｘ２４０画素の液晶パネルを用いた場合の画面表示構成を示したものである。携帯用ディジタルビデオカメラ２００の低消費電力、小型化を実現するため、１．８インチの液晶を内蔵表示装置２０１に用いた。この内蔵表示装置２０１には、記録時のモニタ信号による撮影画面、検索時のソフトウェアによる検索画面、再生時の復号データによる再生画面が表示される。
【００３８】
記録時において、動画記録モード（ＭＰＥＧによる圧縮記録モード）、静止画記録モード（ＪＰＥＧによる圧縮記録モード）等は２０２のモード選択ボタンを押すごとに切り替わっていく。ユーザーはこのボタンによって記録するモードを選択することができるが、表示画面上では、これらのモードが切り替わるごとに、図１７、図１８のように撮影画面の左上のモード別のマークが切り替えられるようになっている。
【００３９】
図１７は、記録時に静止画記録モードが選択されている場合の撮影画面であり、１７０１は静止画モードを表すマークである。図１８は、記録時に動画記録モードが選択されている場合の撮影画面であり、１８０１は動画モードを表すマークである。上記のモード別のマークの表示により、ユーザーは、１個のモード選択ボタンを押す度に切り替わるモードに対して、自分がどのモードで撮影するのかを視覚的に認識することができる。このため、記録時に表示される撮影画面から目を離すことなく操作することができ、使い勝手がよい。
【００４０】
上記のモード別のマークと同一のものは、データ保有部からの検索時におけるソフトウェアによる検索画面でも表示されるが、このことも含めて検索画面については詳細に後述する。なお、本発明の携帯用デジタルビデオカメラでは、図１９のモード別のマーク図に示すようなマークを用いる設定としているが、これに限るものではなく、モード別に区別できる表示であればどんなものでも構わないことはいうまでもない。
【００４１】
画面表示構成５００は１６画素ｘ２４画素で構成される文字を最大２０文字ｘ９文字表示できる。文字の大きさ１６画素ｘ２４画素は、本実施形態で用いた１．８インチの液晶に於いて、文字として認識しやすい最小の大きさと、文字データを２値化する際の効率的な符号化を両立したものである。画面左側５０１、画面右側５０２、画面上側５０３、画面下側５０４の余白は、出力端子４１６に接続される表示装置および内蔵表示装置２０１が本画面の全領域を表示できないので設定したものである。
【００４２】
動作状態表示領域５０５には、本実施形態のソフトウェアが動作している状態を表示する領域である。領域５０６には、記録データの情報、ユーザーが機能スイッチ３０４を押して、データの詳細設定をする際に、動作させる機能を項目表示する小画面を表示するための領域である。操作手順表示領域５０７には、ユーザーに操作方法を示唆する操作手順を表示する。
【００４３】
図６は、本実施形態のソフトウェアを起動するため、ユーザーによりソフト起動スイッチ３０３が押された際に表示される表示画面６００である。表示画面６００は操作の状態遷移を示す図１の分類選択１０１に相当する。先に記述したように、ユーザーによって記録されたデータは、記録時に無条件に未分類として記録する。未分類６０１の行に表示される数字は、それぞれ、ＭＰＥＧ１の音声付動画データ数６０２、ＪＰＥＧの静止画データ数６０３、ＭＰＥＧ１音声のみのデータ数６０４を表す。
【００４４】
同様に第１の分類を示すマーク６０５、第２の分類を示すマーク６０６、第３の分類を示すマーク６０７の各行に表示する数値は、ユーザーにより任意に分類されたデータの数を表す。全てのデータを一括して表示するマーク６０８は、未分類６０１、第１の分類６０５、第２の分類６０６、第３の分類６０７の総数を示したものである。
【００４５】
一時廃棄を示すマーク６０９は、ユーザーが誤ってデータを削除しないように、一時廃棄するための分類で、ユーザーが未分類、第１から第３の分類に分類されているデータを一時的に移動できるようにしたものである。また、一時廃棄を表すマーク６０９の行に表示する数字は、全てのデータを一括して表示するマーク６０８の行に表示する数字を含まない。
【００４６】
未分類を表すマーク６０１の行が白黒反転しているのは、未分類を表すマーク６０１が項目として選択されていることを表しているが、色を変化させる等、白黒反転以外の表現方法でも差し支えない。ユーザーにより本ソフトウェアを用いて、分類先が変更されていない記録データは、表示画面上の未分類を表わすマーク６０１の行の示すところの分類に含まれる。
【００４７】
ユーザーによって図３の上矢印スイッチ３０５ａが押されると、選択項目は一行上に移行し、下矢印スイッチ３０５ｃが押されると、選択項目は一行下に移行する。
【００４８】
本実施形態では、選択項目が表示領域５０６の１行目の項目、つまり、未分類を表すマーク６０１にある場合に、ユーザーによって上矢印スイッチ３０５ａが押されると、選択項目は、選択項目が表示領域５０６の６行目の項目、つまり、一時廃棄を表すマーク６０９に移行する。また、選択項目が表示領域５０６の６行目の項目、つまり、一時廃棄を表すマーク６０９にある場合に、ユーザーによって下矢印スイッチ３０５ｃが押されると、選択項目は、表示領域５０６の１行目の項目、つまり、未分類を表すマーク６０１に移行する。
【００４９】
ユーザーによって、右矢印スイッチ３０５ｂが押されると、選択していた行の表す分類の内容を表示する画面へ移行する。
【００５０】
また、ユーザーに対して操作がいつでも思い出せるよう、操作手順のガイド表示６１０を表示する。
【００５１】
例として、第１の分類を表すマーク６０５を選択項目とし、ユーザーによって、右矢印スイッチ３０５ｂが押された場合に表示される、個別のデータを選択するための表示画面７００を図７に示す。本機能は図１のデータ選択１０２に相当する。
【００５２】
表示画面７００は、本発明の特徴であるデータの一覧リストから、データを検索し再生するための画面であり、ユーザーが、携帯用ディジタルビデオカメラ２００を用いて記録したデータを、記録開始年月日７０１、記録開始時間７０２、動画、静止画、音声を示すデータの内容の種類を表すマーク７０３、分類マーク７０４、誤った操作によるデータの削除を保護するマーク７０５を項目として一覧できる。
【００５３】
また、画面７００に表示されるデータは、記録年月日７０１、記録開始時間７０２の順に古い方から下に並べられる。このため、最も新しく記録した最新データは、最上段に表示され、非常に効果的にデータの検索ができる。また表示した一覧が記録データ全体で何枚有るかを調べて、７０７の様にページ表示することもできる。ページ表示７０７は分母が全体の一覧表示の枚数で、分子がその何枚目かを表示したものである。
【００５４】
これらの情報は、記録日時やデータの種類と言ったユーザーによる撮影時の状況が自動的に記録されるので、ユーザーの手をわずらわせることがない。また、ユーザーがそれぞれの使用目的によって、任意に分類先を変更できるため、ユーザーが目的のデータを検索する作業が非常に簡単、効率化する。
【００５５】
さらにこれらは全て、文字表示にによる一覧リストで構成されているため、記録されている圧縮画像データを展開する時間が不要となり、ユーザが操作ボタンで選択した場合に、高速に画面を書き換える事ができ、高速検索が可能となる。
【００５６】
よって記録画像を早く選択したいユーザにストレスを与えることなく、快適な操作性を提供できる。
【００５７】
選択分類７０６は、表示画面６００で選択した分類を示している。この例では、ユーザーにより、表示画面６００で第１の分類６０５が選択された場合を説明する。
【００５８】
リストの表示順番は、ＨＤＤ４１５に記録されている順番に表示、つまり、記録された日付時刻に従って、新しい順に表示されるが、ユーザーの操作により、ＨＤＤ４１５に記録されている順番を変更できるため、この表示順番も変更することができる。また、撮影直後のデータは、未分類データ選択表示画面の表示領域５０６の最上段に記録される。ユーザーが、撮影直後にデータを確認したい場合は、未分類データ選択表示画面の表示領域５０６の最上段を再生確認するだけで良い。
【００５９】
表示画面６００の際と同様に、ユーザーによって、上矢印スイッチ３０５ａが押されると選択項目は一行上に移行し、下矢印スイッチ３０５ｃが押されると、一行下に移行する。本実施形態では、データを一画面で６行表示するようにしたが、ユーザーによって、６番目データが選択されている場合に、下矢印スイッチ３０５ｃが押された場合、７番目のデータが表示領域５０６の１行目に表示され、７番目のデータが選択項目とされる。８番目、９番目と以下続くデータは、２行目、３行目に表示される。
【００６０】
一方、例えば、７番目のデータを選択している場合に上矢印スイッチ３０５ａが押されると、７番目のデータが表示領域５０６の１行目に表示され、以下２番目、３番目、４番目、５番目、６番目、のデータが表示され、６番目のデータが選択項目とされる。
【００６１】
つまりｎ番目のデータは表示領域５０６において、ｎを６で除算した場合の余りの数値の行に表示される。
【００６２】
また、選択行が最先頭、最後尾のデータが選択されている場合に、上矢印スイッチ３０５ａ、下矢印スイッチ３０５ｃが押された場合は、表示画面６００の際と同様に、それぞれ最後尾、最先頭のデータを含むリスト表示を行い、選択項目を最後尾、最先頭のデータとする。
【００６３】
ユーザーによって、図３の上矢印スイッチ３０５ａ、下矢印スイッチ３０５ｃによって、選択され、ユーザーによって右矢印スイッチ３０５ｂが押されると、選択されたデータが出力端子４１６および内蔵表示装置２０１に再生される。
【００６４】
データが再生されている間は、図３の上矢印スイッチ３０５ａ、下矢印スイッチ３０５ｃ、左矢印スイッチ３０５ｄはそれぞれ、早送り、巻戻し、停止の役割を果たす。データが再生されている間に、停止スイッチの役割を持つ左矢印スイッチ３０５ｄが、ユーザーによって押されると、再生は中止され、再び、表示画面７００が表示される。データが再生されている状態遷移は図１中の１０３である。
【００６５】
次に、記録日時表示に、縮小画面を付加してデータの内容を容易に認識可能な表示内容について説明する。表示画面７００の状態で、縮小画表示スイッチ３０２がユーザーによって押されると、図８に示す表示画面８００の縮小画８０１を表示する。これにより、データの検索性を飛躍的に高めることが可能である。この縮小表示画面表示機能は状態遷移は図１中の１０４の状態に相当する。
【００６６】
例えば、液晶による内蔵表示装置２０１の大きさが１．８インチで表示可能な画素数が横３７９ｘ縦２２０ドットの場合、縮小画８０１の画素数を横６４ｘ縦４８ドットにすると（前述した画面の画素構成が３５２ｘ２４０画素の液晶パネルの場合、縦について２４０／４８＝５、となり、１／５の縮小映像となり、横についても３５２／５＝７０．４、となり、４８ｘ４／３＝６４画素から見て少し余裕をもって１／５の縮小映像となる）、同時に３つの、縮小画と、記録開始年月日７０１、記録開始時間７０２、動画、静止画、音声を示すデータの内容の種類を表すマーク７０３、分類マーク７０４、誤った操作によるデータの削除を保護するマーク７０５を表示することが可能となり、縮小画の視認性を確保できる。この表示画面８００でも表示画面７００の場合と同様に、操作ボタン３０５ｂ等によるデータの再生等が可能である。
【００６７】
再度、縮小画表示スイッチ３０２が押されると、画面表示はデータ分類を表示する表示画面６００に戻る。上記の縮小画面は、回路ブロック図４のＲＡＭ４１０に、コントロールマイコン４１１、及びＭＰＥＧエンコーダ４０９により描画する。
【００６８】
次に前記のデータ分類表示表示画面６００、または、データ選択表示表示画面７００に於いて表示状態を容易に変更可能な機能選択表示画面９００について説明する。機能選択表示画面９００は、操作スイッチ点数を削減し、画面を見ながらの操作の使い勝手を向上させるため、画面上に機能項目を表示し、図３の操作スイッチ３０４、３０５ａ、３０５ｂ、３０５ｃ、３０５ｄにより、機能選択操作ができる操作系を実現している。表示画面９００の状態遷移は図１中の１０５である。
【００６９】
また、縮小画面表示画面８００に於いても、同一の手順で画面が表示され、表示画面６００に於いては、同一の手順で、図１に示す表示画面６００の際に必要な機能をもつ表示画面が表示される。この場合、表示画面９００の機能項目は、データ分類表示画面６００の機能項目は同一ではなくても差し支えない。
【００７０】
表示画面９００における操作の流れを図１０に示す。表示画面９００は、表示画面７００において、ユーザーが機能スイッチ３０４を押した際に表示される。各項目の選択移動は、スイッチ上矢印３０５ａ、スイッチ下矢印３０５ｃによって行う。ユーザーによってスイッチ上矢印３０５ａが押された場合、選択項目は一つ上に表示されている項目に移動する。スイッチ下矢印３０５ｃが押された場合、選択項目は一つ下に表示されている項目に移動する。ユーザーがスイッチ右矢印３０５ｂを押した場合、選択項目の機能を実行する。機能スイッチ左矢印３０５ｄが押された場合、データ選択表示画面７００に戻る。
【００７１】
先に記したように、本実施形態では、ユーザーが誤ってデータを削除しないように、一時廃棄場所にデータ移動した後、一時廃棄場所に含まれるデータを削除する方法でデータの削除を実現している。この機能の状態遷移は図１中の１０６である。
【００７２】
以下にデータを削除する手順について説明する。
【００７３】
データの削除する場合、一時廃棄場所にデータ移動する。この場合、「ゴミ箱に移動」を選択実行する手順を図９により説明する。
【００７４】
まず、表示画面７００で、ユーザーが一時廃棄したいデータを、上矢印３０５ａ、操作スイッチ下矢印３０５ｃを用いて選択後、機能スイッチ３０４が降されると、表示画面９００を表示する。ユーザーが「ゴミ箱に移動」９０１を、操作スイッチ上矢印３０５ａ、操作スイッチ下矢印３０５ｃを用いて選択後、スイッチ右矢印３０５ｂが降されると、選択されたデータを一時廃棄場所であるゴミ箱にデータを移動する。スイッチ３０６がユーザーによって押された場合も、同様に選択されたデータを一時廃棄場所であるゴミ箱にデータを移動する。
【００７５】
ユーザーによって、表示画面９００の「ゴミ箱を空にする」９０２が選択されると、一時廃棄場所であるゴミ箱にあるデータを全て削除する。この機能の状態遷移は図１の１０７である。
【００７６】
この操作系に於いて、ユーザーはデータの削除のために２段階の操作を行うため、誤ってデータを消失することがない。
【００７７】
先に説明したように、記録時に於いて、各データには分類の符号として未分類の状態が割り当てられる。但し、再生時に於いて、ユーザーの操作により分類が変更可能である。この分類の機能を用いることにより、データを分類することが可能となるので、ユーザーがデータの目的別にデータを分類することで、検索機能の使い勝手を画期的に高めることができる。この機能の状態遷移は図１の１０８である。
【００７８】
以下にデータ分類を変更する手順について説明する。表示画面７００で、ユーザーが分類を変更したいデータを上矢印３０５ａ、又は、操作スイッチ下矢印３０５ｃを用いて、選択した後、機能スイッチ３０４が押されると、表示画面９００を表示する。ユーザーによって、操作スイッチ上矢印３０５ａ、操作スイッチ下矢印３０５ｃを用いて、分類を変更する機能である「グループ変更」９０３が選択され、スイッチ右矢印３０５ｂが押されると、図１１に示す選択されたデータの分類を変更する表示画面１１００が表示される。
【００７９】
表示画面１１００において、スイッチ右矢印３０５ｂが押されると、分類が未分類→１→２→３→未分類と循環して変化し、分類を変更する。本実施形態では、画面表示通りの分類の為の符号の更新は、処理の高速化と、ユーザーの操作のやり直しを可能とするため、ユーザーによりスイッチ左矢印３０５ｄが押され、表示画面６００が表示された時点でコントロールマイコン４１１が行う。
【００８０】
先に記したように、ユーザーが次に示す機能を操作をしない限り、表示画面７００に示すリストの順番は記録されたデータの日付、時刻の新しい順に行う。一方、再生時に於いて、簡易的な編集機能を持たせるため、順番を変更することができる。この機能の状態遷移は図１中の１０９である。
【００８１】
以下にデータ表示順番を変更する手順を説明する。まず、表示画面７００に於いてユーザーは表示順番を変更したいデータをスイッチ上矢印３０５ａ、スイッチ下矢印３０５ｃを用いて選択する。機能スイッチ３０４が押されると、表示画面９００を表示する。
【００８２】
ユーザーによって、スイッチ上矢印３０５ａ、スイッチ下矢印３０５ｃを用いて、表示順番を変更する機能である「データ表示順変更」９０４が選択され、スイッチ右矢印３０５ｂが押されると、図１２に示す表示画面１２００が表示され、選択されたデータの表示順番を変更することが可能となる。ユーザーによって、選択したデータを挿入する場所をスイッチ上矢印３０５ａ、スイッチ下矢印３０５ｃを用いて指定する。次に、スイッチ右矢印３０５ｂが押されると、選択されたデータを指定した箇所に挿入する。この際、挿入前に指定された箇所以降にあったデータの順番は一つ後方に順番が変更される。
【００８３】
本実施形態の携帯用ディジタルビデオカメラ２００は表示画面７００のデータを記録した日付時刻を表示するために、内蔵時計を搭載している。しかし、駆動電池切れ等の障害時に撮影された場合、記録した日付時刻が、表示画面７００に於いて正しく表示されない可能性がある。そこで、本実施形態では、ユーザーの操作により、データを記録した日付時刻を任意に変更できる。本機能の状態遷移は、図１の１１０である。
【００８４】
以下に日時表示変更手順を説明する。表示画面７００に於いて、ユーザーが記録日付時刻を変更したいデータを、スイッチ上矢印３０５ａ、スイッチ下矢印３０５ｃを用いて選択する。次に、機能スイッチ３０４が押されると、表示画面９００を表示する。ユーザーによって、スイッチ上矢印３０５ａ、スイッチ下矢印３０５ｃを用いて、表示順番を変更する機能である「記録日時変更」９０５が選択され、スイッチ右矢印３０５ｂが押されると、図１３に示す選択されたデータの記録日時を変更する表示画面１３００が表示される。
【００８５】
ここで、ユーザーによって、スイッチ上矢印３０５ａが押されると、年表示１３０１を１増加し、スイッチ下矢印３０５ｃが押されると、年表示１３０１を１減少して表示する。スイッチ右矢印３０５ｂが押されると、年表示１３０１はその時点で表示されている数値に決定される。次に、ユーザーは月表示１３０２の数値の増減を指定できる様になる。
【００８６】
同様にスイッチ上矢印３０５ａが押されると、月表示１３０２を１増加し、スイッチ下矢印３０５ｃが押されると、月表示１３０２を１減少して表示する。スイッチ右矢印３０５ｂが押されると、月表示１３０２はその時点で表示されている数値に決定される。次に、ユーザーは日表示１３０３の数値の増減を指定できる様になる。
【００８７】
また、スイッチ左矢印３０５ｄが押されると再び年表示１３０１の設定をやり直すこともできる。同様の操作で、日表示１３０３、午前午後表示１３０４、時表示１３０５、分表示１３０６を設定することができる。分表示１３０６の数値を調整後、スイッチ右矢印３０５ｂが押されると、記録日付時刻の変更を終了し、データの日付時刻を新規に設定された数値に変更する。
【００８８】
また、２月３０日など暦上で有り得ない数値が指定された場合は、その日付に最も近い日にちに変更する。
【００８９】
本実施形態では、ユーザーが自由にデータを削除することができるが、誤って、データが削除去れるのを防ぐため、データに削除禁止の属性を与えることが可能である。本機能の状態遷移は図１中の１１１である。
【００９０】
以下に、削除保護属性をデータに付ける手順を説明する。表示画面７００でユーザーが削除属性を変更したいデータをスイッチ上矢印３０５ａ、スイッチ下矢印３０５ｃを用いて、選択した後、機能スイッチ３０４が押されると、表示画面９００を表示する。ユーザーによって、スイッチ上矢印３０５ａ、スイッチ下矢印３０５ｃを用いて、表示順番を変更する機能である「ロック変更」９０６が選択され、スイッチ右矢印３０５ｂが押されると、図１４に示す選択されたデータの削除属性を変更する表示画面１４００が表示される。
【００９１】
ユーザーによって、スイッチ右矢印３０５ｂが押されると削除属性が不可→可→不可の順で循環的に変更する。保護マーク７０５の表示は、削除属性に応じて表示する。
【００９２】
本実施形態では、ユーザーがＨＤＤ４１５の残容量を知ることができる。本機能の状態遷移は図１中の１１２である。
【００９３】
以下にＨＤＤ４１５の残量を確認するための手順を説明する。表示画面７００でユーザーによって機能スイッチ３０４が押されると、表示画面９００を表示する。ユーザーによって、スイッチ上矢印３０５ａ、スイッチ下矢印３０５ｃを用いて、表示順番を変更する機能である「状態表示」９０７が選択され、スイッチ右矢印３０５ｂが押されると、図１５に示すＨＤＤ４１５の残容量を表示する表示画面１５００が表示される。
【００９４】
表示画面１５００は、ＨＤＤ４１５に、音声付きＭＰＥＧ１動画データのみを記録した場合の残り時間表示１５０１、ＪＰＥＧ静止画データのみを記録した場合の残り枚数表示１５０２、ＭＰＥＧ１音声データのみを記録した場合の残り時間表示１５０３、バイト数で表現した残り容量１５０４を一覧できる。上記ＨＤＤの記録可能な各データの単位で示した残量を一覧で表示することによって、ユーザーにとって残り容量の把握が格段にやりやすくなる。
【００９５】
本実施形態では、データの再生時の操作に於いても、スイッチ３０５ａ、３０５ｄ、３０５ｃ、３０５ｄのみでの操作が可能であり、必要最小限の操作スイッチ数での操作を可能な点も画期的である。
【００９６】
また、機能選択画面９００を用いることにより、操作ボタンを増やさずに機能を増やすことができる点が画期的である。
【００９７】
本実施形態では、データの分類数は未分類を含めて、４つであったが、この数はそれ以外でも構わない。本実施形態では、データ選択表示画面７００では、各データを動画、静止画、音声の種類によらず、一覧表示するが、ユーザーの指定によって、データ種類に応じて自動的に分類する機能にも応用できる。
【００９８】
また上記の記録データの動画、静止画などの撮影モードごとにデータを制御マイコン４１１が自動選択して再生する事も可能である。例えばユーザが静止画だけの撮影モードを選択し、静止画の画像形式だけを抜き出して再生することができる。
【００９９】
以上説明したように、本発明は次のような構成を採り得るものである。
【０１００】
（１）映像信号をデジタル信号に変換する変換手段と、前記デジタル信号に対してＭＰＥＧ方式またはＪＰＥＧ方式の圧縮処理を選択的に施して圧縮データを生成するコーデック部と、前記圧縮データを記録する記録部と、ＭＰＥＧ方式で圧縮処理するかＪＰＥＧ方式で圧縮処理するかの選択指示を行うための圧縮処理モードの選択指示手段と、を備えた画像記録装置。
【０１０１】
前記（１）の画像記録装置において、前記選択指示手段による指示に応じて、前記コーデック部での圧縮処理の方式を切り替えるようにする画像記録装置。
【０１０２】
前記（１）の画像記録装置において、前記選択指示手段による指示に応じて、前記圧縮データに対して圧縮処理の方式を示すコードを付加して記録する画像記録装置。
【０１０３】
前記（１）の画像記録装置において、前記コーデック部は、ＭＰＥＧ方式の処理とＪＰＥＧ方式の処理を共通化して行う回路である画像記録装置。
【０１０４】
前記（１）の画像記録装置において、前記映像信号は、撮像素子より得られる信号である画像記録装置。
【０１０５】
前記（１）の画像記録装置において、前記記録部は、ハードディスクである画像記録装置。
【０１０６】
（２）ＭＰＥＧ方式またはＪＰＥＧ方式で圧縮処理が施されて生成される圧縮データを入力し記録する記録部と、前記記録部に記録された圧縮データのうち、再生するデータを指定するための指定手段と、前記指定手段によって指定された圧縮データを前記記録部より検索して読み出す読み出し手段と、前記圧縮データに対してＭＰＥＧ方式またはＪＰＥＧ方式の伸長処理を選択的に施してデジタル信号を生成するコーデック部と、前記コーデック部で生成されたデジタル信号を映像信号に変換する変換手段と、を備えた画像再生装置。
【０１０７】
前記（２）の画像再生装置において、前記読み出し手段で読み出された圧縮データに応じて、前記コーデック部での伸長処理の方式を切り替えるようにする画像再生装置。
【０１０８】
前記（２）の画像再生装置において、前記記録部の圧縮データには圧縮処理の方式を示すコードが予め付加されており、前記読み出し手段で読み出された圧縮データに付加された前記圧縮処理の方式を示すコードに応じて、前記コーデック部での伸長処理の方式を切り替えるようにする画像再生装置。
【０１０９】
前記（２）の画像再生装置において、前記コーデック部は、ＭＰＥＧ方式の処理とＪＰＥＧ方式の処理を共通化して行う回路である画像再生装置。
【０１１０】
前記（２）の画像再生装置において、前記映像信号は、内蔵された表示装置に出力される画像再生装置。
【０１１１】
前記（２）の画像再生装置において、前記記録部は、ハードディスクである画像再生装置。
【０１１２】
（３）映像信号をデジタル信号に変換して記録し、デジタル信号を映像信号に変換して再生する画像記録再生装置において、記録時には前記デジタル信号に対してＭＰＥＧ方式またはＪＰＥＧ方式の圧縮処理を選択的に施して圧縮データを生成し、再生時には前記圧縮データに対してＭＰＥＧ方式またはＪＰＥＧ方式の伸長処理を選択的に施してデジタル信号を生成するコーデック部と、前記圧縮データを記録する記録部と、ＭＰＥＧ方式で圧縮処理するかＪＰＥＧ方式で圧縮処理するかの選択指示を行うための圧縮処理モードの選択指示手段と、前記記録部に記録された圧縮データのうち、再生するデータを指定するための指定手段と、前記指定手段によって指定された圧縮データを前記記録部より検索して読み出す読み出し手段と、を備えた画像記録再生装置。
【０１１３】
前記（３）の画像記録再生装置において、記録時には、前記選択指示手段による指示に応じて、前記コーデック部での圧縮処理の方式を切り替えるようにし、再生時には、前記読み出し手段で読み出された圧縮データに応じて、前記コーデック部での伸長処理の方式を切り替えるようにする画像記録再生装置。
【０１１４】
前記（３）の画像記録再生装置において、記録時には、前記選択指示手段による指示に応じて、前記記録部が前記圧縮データに圧縮処理の方式を示すコードを付加して記録するようにし、再生時には、前記読み出し手段で読み出された圧縮データに付加された圧縮処理の方式を示すコードに応じて、前記コーデック部での伸長処理の方式を切り替えるようにする画像記録再生装置。
【０１１５】
前記（３）の画像記録再生装置において、前記コーデック部は、ＭＰＥＧ方式の処理とＪＰＥＧ方式の処理を共通化して行う回路である画像記録装置。
【０１１６】
前記（３）の画像記録再生装置において、記録する映像信号は、撮像素子より得られる信号であり、再生する映像信号は、内蔵された表示装置に出力される画像記録再生装置。
【０１１７】
前記（３）の画像記録再生装置において、前記記録部はハードディスクである画像記録再生装置。
【符号の説明】
【０１１８】
２００  携帯用ディジタルカメラ本体
２０１  液晶表示部
２０２  モード選択ボタン
３０１〜３０５  携帯用ディジタルカメラ機器の再生、停止、早送り、巻き戻し十字ボタンを含む操作ボタン
４１１  本発明の記録データ一覧表示を描画し制御するマイコン
４１５  容量が２６０ＭバイトのＰＣカード型ハードディスク
６０５〜６０７  分類表示マーク
６１０  操作ガイド表示
７０１  記録データの記録日付表示
７０２  記録データの記録時間表示
７０３  撮影モードを示すマーク
７０５  削除可能かどうかを示す属性マーク
８０１  記録データの縮小画
１７０１  静止画モードを表わすマーク
１８０１  動画モードを表わすマーク
【図１】
2010154534.tif 000003
【図２】
2010154534.tif 000004
【図３】
2010154534.tif 000005
【図４】
2010154534.tif 000006
【図５】
2010154534.tif 000007
【図６】
2010154534.tif 000008
【図７】
2010154534.tif 000009
【図８】
2010154534.tif 000010
【図９】
2010154534.tif 000011
【図１０】
2010154534.tif 000012
【図１１】
2010154534.tif 000013
【図１２】
2010154534.tif 000014
【図１３】
2010154534.tif 000015
【図１４】
2010154534.tif 000016
【図１５】
2010154534.tif 000017
【図１６】
2010154534.tif 000018
【図１７】
2010154534.tif 000019
【図１８】
2010154534.tif 000020
【図１９】
2010154534.tif 000021
【手続補正書】
【提出日】平成22年1月8日(2010.1.8)
【手続補正１】
【補正対象書類名】特許請求の範囲
【補正対象項目名】全文
【補正方法】変更
【補正の内容】
【特許請求の範囲】
【請求項１】
被写体を撮像し、画像を出力する撮像手段と、
該画像を記録媒体に記録再生する記録再生手段と、
該撮像手段により撮像している画像および該記録媒体に記録されている画像を表示する表示手段と、
該画像の縮小画を一画面に表示し、所望の縮小画が表示されている画像の選択を受付けている状態で、所望の縮小画が表示されている画像が選択されると、該選択された画像を該表示手段に表示するように制御する制御手段と、
を備え、
該記録媒体に記録されている画像の縮小画を該表示手段に表示する際、該記録媒体に記録されている画像の記録された記録時間を該表示手段に表示すること、
を特徴とする撮像装置。
【請求項２】
請求項１において、
前記記録時間は、前記画像の記録年月日と記録開始時間とを有して構成されること、
を特徴とする撮像装置。
【請求項３】
請求項１または２において、
該記録媒体に記録されている画像の縮小画を該表示手段に表示する際、記録時間の順に古い方から下に並べられるように表示すること
を特徴とする撮像装置。
【請求項４】
請求項１ないし３のいずれかにおいて、
該記録媒体に記録されている画像の縮小画を該表示手段に表示する際、最も新しく記録した画像を最上段に表示すること
を特徴とする撮像装置。
【請求項５】
請求項１ないし４のいずれかにおいて、
該記録媒体は半導体メモリであること
を特徴とする撮像装置。
【請求項６】
請求項１ないし４のいずれかにおいて、
該記録媒体はハードディスクであること
を特徴とする撮像装置。
【手続補正２】
【補正対象書類名】明細書
【補正対象項目名】００７３
【補正方法】変更
【補正の内容】
【００７３】
データの削除する場合、一時廃棄場所にデータ移動する。この場合、「ゴミ箱へ移動」を選択実行する手順を図９により説明する。
【手続補正３】
【補正対象書類名】明細書
【補正対象項目名】００７４
【補正方法】変更
【補正の内容】
【００７４】
まず、表示画面７００で、ユーザーが一時廃棄したいデータを、上矢印３０５ａ、操作スイッチ下矢印３０５ｃを用いて選択後、機能スイッチ３０４が押されると、表示画面９００を表示する。ユーザーが「ゴミ箱へ移動」９０１を、操作スイッチ上矢印３０５ａ、操作スイッチ下矢印３０５ｃを用いて選択後、スイッチ右矢印３０５ｂが押されると、選択されたデータを一時廃棄場所であるゴミ箱にデータを移動する。スイッチ３０６がユーザーによって押された場合も、同様に選択されたデータを一時廃棄場所であるゴミ箱にデータを移動する。
【手続補正４】
【補正対象書類名】明細書
【補正対象項目名】００７５
【補正方法】変更
【補正の内容】
【００７５】
ユーザーによって、表示画面９００の「ゴミ箱を空に」９０２が選択されると、一時廃棄場所であるゴミ箱にあるデータを全て削除する。この機能の状態遷移は図１の１０７である。
【手続補正５】
【補正対象書類名】明細書
【補正対象項目名】００７８
【補正方法】変更
【補正の内容】
【００７８】
以下にデータ分類を変更する手順について説明する。表示画面７００で、ユーザーが分類を変更したいデータを上矢印３０５ａ、又は、操作スイッチ下矢印３０５ｃを用いて、選択した後、機能スイッチ３０４が押されると、表示画面９００を表示する。ユーザーによって、操作スイッチ上矢印３０５ａ、操作スイッチ下矢印３０５ｃを用いて、分類を変更する機能である「グループ変更」９０５が選択され、スイッチ右矢印３０５ｂが押されると、図１１に示す選択されたデータの分類を変更する表示画面１１００が表示される。
【手続補正６】
【補正対象書類名】明細書
【補正対象項目名】００８２
【補正方法】変更
【補正の内容】
【００８２】
ユーザーによって、スイッチ上矢印３０５ａ、スイッチ下矢印３０５ｃを用いて、表示順番を変更する機能である「データ表示順変更」９０６が選択され、スイッチ右矢印３０５ｂが押されると、図１２に示す表示画面１２００が表示され、選択されたデータの表示順番を変更することが可能となる。ユーザーによって、選択したデータを挿入する場所をスイッチ上矢印３０５ａ、スイッチ下矢印３０５ｃを用いて指定する。次に、スイッチ右矢印３０５ｂが押されると、選択されたデータを指定した箇所に挿入する。この際、挿入前に指定された箇所以降にあったデータの順番は一つ後方に順番が変更される。
【手続補正７】
【補正対象書類名】明細書
【補正対象項目名】００８４
【補正方法】変更
【補正の内容】
【００８４】
以下に日時表示変更手順を説明する。表示画面７００に於いて、ユーザーが記録日付時刻を変更したいデータを、スイッチ上矢印３０５ａ、スイッチ下矢印３０５ｃを用いて選択する。次に、機能スイッチ３０４が押されると、表示画面９００を表示する。ユーザーによって、スイッチ上矢印３０５ａ、スイッチ下矢印３０５ｃを用いて、記録日時を変更する機能である「記録日時変更」９０７が選択され、スイッチ右矢印３０５ｂが押されると、図１３に示す選択されたデータの記録日時を変更する表示画面１３００が表示される。
【手続補正８】
【補正対象書類名】明細書
【補正対象項目名】００８９
【補正方法】変更
【補正の内容】
【００８９】
本実施形態では、ユーザーが自由にデータを削除することができるが、誤って、データが削除されるのを防ぐため、データに削除禁止の属性を与えることが可能である。本機能の状態遷移は図１中の１１１である。
【手続補正９】
【補正対象書類名】明細書
【補正対象項目名】００９０
【補正方法】変更
【補正の内容】
【００９０】
以下に、削除保護属性をデータに付ける手順を説明する。表示画面７００でユーザーが削除属性を変更したいデータをスイッチ上矢印３０５ａ、スイッチ下矢印３０５ｃを用いて、選択した後、機能スイッチ３０４が押されると、表示画面９００を表示する。ユーザーによって、スイッチ上矢印３０５ａ、スイッチ下矢印３０５ｃを用いて、削除禁止の属性を変更する機能である「ロック変更」９０４が選択され、スイッチ右矢印３０５ｂが押されると、図１４に示す選択されたデータの削除属性を変更する表示画面１４００が表示される。
【手続補正１０】
【補正対象書類名】明細書
【補正対象項目名】００９３
【補正方法】変更
【補正の内容】
【００９３】
以下にＨＤＤ４１５の残量を確認するための手順を説明する。表示画面７００でユーザーによって機能スイッチ３０４が押されると、表示画面９００を表示する。ユーザーによって、スイッチ上矢印３０５ａ、スイッチ下矢印３０５ｃを用いて、残容量を表示する機能である「状態表示」９０３が選択され、スイッチ右矢印３０５ｂが押されると、図１５に示すＨＤＤ４１５の残容量を表示する表示画面１５００が表示される。
【手続補正１２】
【補正対象書類名】明細書
【補正対象項目名】０００１
【補正方法】変更
【補正の内容】
【０００１】
本発明は撮像装置に関する技術である。